(57)【要約】      （修正有）【課題】簡単な構成で、容易に粒子状物質を捕集することができる粒子状物質吸着材の提供。【解決手段】灯心部を露出させたイ草から成り、内部を形成する組織の側壁が粒子状物質を吸着する特性を有する粒子状吸着材であり、前記吸着剤が粉末状、短冊状又はシート状に形成し、シートが不織布、フエルト又は和紙である粒子状物質フィルター。或いは、灯心部を露出させたイ草と、液剤と、から成り、粒子状物質吸着剤を噴霧可能に形成した粒子状物質吸着材。【選択図】図１
2015127038.tif 000002
【特許請求の範囲】
【請求項１】
灯心部を露出させたイ草から成る粒子状物質吸着材。
【請求項２】
吸着材の内部を形成する組織の側壁が粒子状物質を吸着する特性を有することを特徴とする請求項１に記載の粒子状物質吸着材。
【請求項３】
前記イ草を、短冊状又は粉末状に形成したことを特徴とする請求項１又は請求項２に記載の粒子状物質吸着材。
【請求項４】
灯心部を露出させたイ草と、
シートと、
から成ることを特徴とする粒子状物質フイルター。
【請求項５】
前記シートは、不織布であることを特徴とする請求項４に記載の粒子状物質フイルター。
【請求項６】
前記シートは、フエルトであることを特徴とする請求項４に記載の粒子状物質フイルター。
【請求項７】
前記シートは、和紙であることを特徴とする請求項４に記載の粒子状物質フイルター。
【請求項８】
灯心部を露出させたイ草と、
液剤と、
から成ることを特徴とする粒子状物質吸着剤。
【請求項９】
請求項８に記載の粒子状物質吸着剤を噴霧可能に形成したことを特徴とする粒子状物質吸着剤。
【請求項１０】
請求項８に記載の粒子状物質吸着剤で成形された粒子状物質吸着機能を有する製品。
【発明の詳細な説明】
【技術分野】
【０００１】
この発明は、粒子状物質吸着材に関するものである。
【背景技術】
【０００２】
近年、日本において大陸からの粒子状物質、例えば黄砂、ＰＭ２．５（particulate  matter２．５）の飛来による空気汚染が深刻化している。この粒子状物質は、粒径が小さいために肺の奥まで到達しやすく、呼吸器系への沈着のおそれや、更に超微粒子物質の場合には、循環器系への影響も懸念されている。このような、粒状物質による大気汚染への人や環境への対処策が望まれており、空気中を浮遊する粒状物質を捕集するために各種工夫がされている（例えば、特許文献１参照。）。
【０００３】
ところで、従来、日本国内の特定地域で産出されるイ草は、基本的には古くから日本人の生活の中に溶け込んだ天然素材であり、各種の加工手段が開発されて種々のイ草製品がつくられている。例えば、畳表、花茣蓙、座布団、寝茣蓙、枕、置畳などがある。このイ草にはホルムアルデヒドなどのガス状物質を吸着したり、水分を吸放出したりすることが知られている（例えば、特許文献２参照。）。
【先行技術文献】
【特許文献】
【０００４】
【特許文献１】特開２００５−２８３２１２号公報
【特許文献２】特開２００２−０１３０９０号公報
【発明の概要】
【発明が解決しようとする課題】
【０００５】
しかしながら、従来の粒子状物質を捕集する装置等は複雑であるという欠点があった。
【０００６】
本発明は、斯かる事情に鑑みてなされたものであって、簡単な構成で、容易に粒子状物質を捕集することができる粒子状物質吸着材を提供する。
【課題を解決するための手段】
【０００７】
請求項１に記載の発明は、灯心部を露出させたイ草から成る粒子状物質吸着材を提供するものである。
【０００８】
請求項２に記載の発明は、吸着材の内部を形成する組織の側壁が粒子状物質を吸着する特性を有することにも特徴を有する。
【０００９】
請求項３に記載の発明は、イ草を、短冊状又は粉末状に形成したことにも特徴を有する。
【００１０】
請求項４に記載の発明は、灯心部を露出させたイ草と、シートと、から成ることを特徴とする粒子状物質フイルターを提供するものである。
【００１１】
請求項５〜請求項７に記載の発明のシートは、不織布、フエルト、又は和紙であることにも特徴を有する。
【００１２】
請求項８に記載の発明は、灯心部を露出させたイ草と、液剤と、から成ることを特徴とする粒子状物質吸着剤を提供するものである。
【００１３】
請求項９に記載の発明は、請求項９に記載の粒子状物質吸着剤で成形された粒子状物質吸着機能を有する置物である。
【００１４】
請求項１０に記載の発明の粒子状物質吸着剤は、噴霧可能に形成したことに特徴を有する。
【発明の効果】
【００１５】
請求項１又は請求項２に記載の発明によれば、灯心部を露出させたイ草から成る粒子状物質吸着材としたことにより、従来のイ草の使用形態ではない新しいイ草の使用形態としてイ草の吸着機能部分を可及的に大気に露出することができることになり黄砂、ＰＭ２．５（particulate  matter２．５）等の粒子状物質の吸着を促進して他の素材では十分な吸着が不能であったＰＭ２．５（particulate  matter２．５）等の粒子状物質の吸着効果を飛躍的に向上することができる。
【００１６】
特に灯心部を露出することにより、イ草の内部構造たるハニカム構造の微細繊維がばらばらに空気中に露出して対空気との接触面積を飛躍的に拡大させることができ、イ草の本来有する粒子状物質の吸着機能の拡大は当然ながらＰＭ２．５（particulate  matter２．５）等の粒子状物質の有する特質に対しても露出灯心部の繊維の絡みでからめ捕る特有の機能を発揮することができる。
【００１７】
なお、灯心部を露出するためのイ草の加工方法としても、例えば手や機械によってイ草を長手方向に沿って引き裂いてばらばらにする等の簡単な加工手段で完成することができるのでＰＭ２．５（particulate  matter２．５）等の粒子状物質に対しての利用形態が簡単でありいろいろの形状に簡単に応用しやすく普及させやすい効果もある。
【００１８】
請求項３に記載の発明は、イ草を、短冊状又は粉末状に形成したことにより、請求項１の灯心部を露出の形態を更に使いやすくしてその応用範囲をさらに拡大してフイルターやタペストリや装飾品やその他の日常生活品に応用することができ、更にはシート状品等に加工して身辺の至る所で黄砂、ＰＭ２．５（particulate  matter２．５）の飛来による空気汚染の除去に対処することができる効果がある。
【００１９】
特に、粉末状に形成すれば灯心部の露出形態は複雑化してその表面積を更に拡大して、大気との接触面積は広がり、黄砂、ＰＭ２．５（particulate  matter２．５）の粒子状物質の吸着機能は格段に拡大する効果がある。
【００２０】
請求項４に記載の発明は、灯心部を露出させたイ草と、シートと、から成ることを特徴とする粒子状物質フイルターを提供するものであり、特にシートの性状とすることによりいろいろな形状の物体に貼着可能となりその利用形態も多角化して各種の応用ができる効果がある。
【００２１】
特に、灯心部を露出させたイ草の繊維がバインダー等を介してシートに集合させるとその両面からの吸着機能を発揮でき効果を増大することができると共に、長手状に裂いて灯心部を露出させたイ草の繊維はシート状に加工する際に更に複雑に絡み合って空気との接触形態が三次元的に構成されて吸着不能面の繊維表面を可及的に減少して長期間の使用効果を維持できる。更には、シート状にすることにより時々シートを揉みほぐすことにより更に灯心部繊維の吸着面が改めて露出して使用効果をより向上することができる。
【００２２】
請求項５〜請求項７に記載の発明のシートは、不織布、フエルト、又は和紙とすることにより、その応用範囲が格段に向上する効果がある。
【００２３】
特に、それぞれの材料の特質により使用分野を変えれば、更に黄砂、ＰＭ２．５（particulate  matter２．５）等の吸着への応用を向上することができ、日常生活のあらゆる身辺の什器備品に貼着すれば意識しない環境で黄砂、ＰＭ２．５（particulate  matter２．５）等を吸着して飛来による空気汚染の深刻化を防止できる効果があり、特に和紙への応用は和紙特有の空気流通制御機能と相俟って非常に高い空気清浄機能を達成することができる効果がある。
【００２４】
不織布への加工時の添加は更なる応用の分野の拡大に貢献することができ、使用の過程で揉み作業や頻繁な取替えが可能となり、その機能維持も長期間にわたって行える効果がある。
【００２５】
請求項８に記載の発明は、灯心部を露出させたイ草と、液剤と、から成ることを特徴とする粒子状物質吸着剤を提供するものであり、灯心部を露出させたイ草とバインダーとしての液剤とを混合して液状或いは粘調状とすることにより、噴霧器などで粒子状物質吸着対象物の表面に吹き付け塗布したり、ハケ、ブラシ等で塗布コーティングすることができる。
【００２６】
請求項９に記載の発明は、請求項８に記載の粒子状物質吸着剤を噴霧可能に形成したことを特徴とするものであり、イ草の内部の灯心部のうち、特に、断面ハニカム形状で灯心部の芯に近い内層部分を可及的に用いるようにすることにより、細断や破裂時に各微粒子の表面に生起した微細な毛羽立ちが、対象物への付着効率を更に向上し、空気との接触断面の増大と共に、付着効果を向上し、容易に対象物から剥離することなく、長期間の汚染微粒子除去効果を維持することができる。
【００２７】
請求項１０に記載の発明は、請求項８に記載の粒子状物質吸着剤で成形された粒子状物質吸着機能を有する製品であり、日常生活のあらゆる身辺の什器備品に応用することができる。
【図面の簡単な説明】
【００２８】
【図１】本実施形態に係る粒子状物質吸着材の電子顕微鏡による拡大図である。
【図２】本実施形態に係る粒子状物質吸着材の電子顕微鏡による拡大図である。
【図３】本実施形態に係る粒子状物質吸着材の電子顕微鏡による拡大図である。
【図４】本実施形態に係る粒子状物質吸着材の電子顕微鏡による拡大図である。
【発明を実施するための形態】
【００２９】
本発明は、灯心部を露出させたイ草から成る粒子状物質吸着材を提供するものである。イ草の茎は、直径およそ２〜３ｍｍの略円柱状であり、その表面は無数の気孔を有する蝋質の硬い表皮、いわゆる皮質部から成り、その内部は、ハニカム構造を有するいわゆる灯心部で構成されている。本実施形態におけるイ草とは、イ草全体又はイ草の茎部分を指すことを含むものとする。
【００３０】
本実施形態における粒子状物質とは、工場などから排出される煤や粉塵、黄砂などの土壌粒子等の大気汚染物質である。また、ＰＭ１０、ＰＭ２．５、又は略０．１μｍ以下の超微小粒子を含む粒子である。
【００３１】
以下、本実施形態に係る粒子状物質吸着材について、図面を参照しながら具体的に説明する。図１〜図３は、後述する吸着実験に用いた粒子状物質吸着材を電子顕微鏡により拡大した写真である。
【００３２】
本実施形態に係る粒子状物質吸着材は、図１，図２に示すように、イ草の茎の内部、いわゆる灯心部を、露出させた構造を有するものである。ここで、灯心部とは、硬い皮質部から成るイ草の茎の内部にあるスポンジ状のハニカム構造を有する部分である。この灯心部は、図３に示すように拡大すると、血管のような、径略１０μｍの多数の管が枝分かれしつつ、構成された網目構造を有している。
【００３３】
前記灯心部は、上述のように多数の中空の枝が網の目が張ったような網目構造を有する。このため、灯心部を露出する、例えばイ草を輪切りにしたものを断面に垂直方向に切断する、ことにより、灯心部の網目構造を露出させることができる。
【００３４】
すなわち、本実施形態における粒子状物質吸着材とは、イ草内部にある灯心部の網目構造を内部に露出させることにより、大気と接する面積、すなわち、表面積を増大させる構成としたことで、前記灯心部の網目構造に粒子状物質を付着・吸着させることをできるようにしたものである。
【００３５】
また、灯心部が有する網目構造は、静電気を帯び易い性質を有する。このため、上記網目構造による吸着力に加えて、より粒子状物質を付着させることができる。
【００３６】
本実施形態の粒子状物質吸着材とする加工方法は、イ草を短寸法、例えば約６〜７ｍｍの長さに予め切断して円筒状にして、更に、垂直方向に切断して略半円筒状に形成したものである。なお、垂直方向に切断する回数が多ければ、内部の網目構造が露出して大気との接する面積が拡大するため、粒子状物質の吸着効果は増大するので略半円筒状に限られない。
【００３７】
垂直方向に切断する作業としては、一定の長さのイ草の切片を縦方向、すなわち、長手方向に手作業や機械作業で裂いていく。
【００３８】
特に、この裂き方は機械的に一定方向に直線的に切断するのではなく、なるべく、いわゆる手作業的に縦方向に裂いていくことが重要である。すなわち、縦方向は繊維の流れに沿っているので容易に裂くことができ、繊維を一定の束にしてばらばらに分解することになり、可及的にイ草の繊維が細分されて灯心部が露出された構造となり、灯心部は、図１に示す通りのスポンジ状のハニカム構造でありこれが更に細分化されてハニカム構造の縦方向の筒状繊維管が一部破断、破裂して内部露呈の形状となり、その表面積は異様に拡大していき空気との接触度合を飛躍的増大することができ、かかる形状の変型された露呈灯心部を本発明の実施例は利用することに特徴を有する。かかる裂き加工された灯心部は、図３に示すように拡大すると、血管のような、径略１０μｍの多数の管が枝分かれしつつ、構成された網目構造を有している。
【００３９】
また、上述した灯心部を露出させる裂き加工の手段は上記したようにイ草内部の灯心部である網目構造を外部へ露出させるものであり、かかる状態のイ草の繊維を更に、例えば、切断、砕く、チップ状の加工、すり潰し、更なる裂き加工などの手段を付加することができる。
【００４０】
すなわち、イ草の灯心部の網目構造を外部へ露出させることによって、表面積を増大させて、外気との接触する面積を増やして、粒子状物質を吸着することとするものであり、上記灯心部を露出させる手段を用いて形成された形状であればよく、当初の加工形状としては、略半円筒、細かく輪切りにした円柱、短冊状、粉末状などでも良い。
【００４１】
次に、本実施形態に係る粒子状物質吸着材について、粒子状物質吸着実験結果を参照しつつ具体的に説明する。
【００４２】
〔１．外気曝露〕
まず、粒子状物質吸着材を外気への曝露を行った。具体的には、イ草単体を、カッターナイフを用いて長さ略７ｍｍの円筒に切断し、長手方向中心より切開して、略半円筒状に形成してイ草の内部（灯心部）を露出させて、この粒子状物質吸着材を５〜１０本程に束ねて地上から略５メートルの位置に吊り下げ外気に曝した。
【００４３】
外気への曝露期間は、略９２時間行った。
【００４４】
〔２．電子顕微鏡による観察〕
次に、外気に曝露した粒子状物質吸着材を試料として、走査電子顕微鏡にて観察を行った。
【００４５】
具体的には、上記粒子状物質吸着材を金コーテイング２００A（オングストローム）による導電処理を行った後、走査電子顕微鏡を用いて観察を行った。観察倍率は、２０倍、８０倍、５００倍で行った。その結果を図１〜図３に示す。図1は、吸着実験で用いた粒子状物質吸着材の電子顕微鏡による拡大図（２０倍）である。図２は、吸着実験で用いた粒子状物質吸着材の電子顕微鏡による拡大図（８０倍）である。図３は、吸着実験で用いた粒子状物質吸着材の電子顕微鏡による拡大図（５００倍）である。
【００４６】
図１，図２からも分かるように、イ草の表皮である皮質部の内部にある灯心部は複雑な網目構造である。また、図３からも分かるように、前記網目構造中は多数の繊維状の管で構成されている。外気へ曝露した試料には、前記網目構造に、２種類の粒子が観測された。この１つは、中略球状で表面の滑らかな粒子であり、その粒径はおよそ２μｍ以下であった。また、角張った形状の粒子であり、その粒径は数μｍから数１０μｍであった。
【００４７】
〔３．粒子個数計測〕
次に、粒子の吸着効果を評価するために、前記粒子状物質吸着材の観察断面に対する粒子の個数を調べた。吸着した２種類の粒子のうち、球状の粒子である微小粒子状物質の個数を計測した。電子顕微鏡写真の１視野の中で計測された粒子から１cm2あたりの粒子数に換算した値を評価に用いた。
【００４８】
具体的には、外気へ曝露した粒子状物質吸着材の観察断面をイ草１〜イ草３として計測を行った。また、比較対象として、外気へ曝露していないイ草を半円筒体に切開したものをイ草ブランク、外気へ曝露した和紙、曝露していない和紙である和紙ブランク、の計測も同時に行った。前記和紙は畳のイ草を模して作られた和紙である。その結果を、図４及び表１に示す。図４は、各試料の電子顕微鏡による拡大写真である。図４中、球状の粒子である微小粒子状物質を丸印で示した。
【００４９】
【表１】
2015127038.tif 000003
【００５０】
図４からも分かるとおり、粒子状物質吸着材の断面内部には、和紙表面に比較して多くの粒子が付着していた。特に、吸着材の内部を形成する網目構造中の繊維に、貼りつくように、粒子が吸着していた。
【００５１】
表１からも分かるとおり、粒子状物質吸着材の断面には１cm2あたりおよそ５４，０００〜３４６，０００個の粒子が付着していた。一方、和紙の表面には１cm2あたりおよそ１４，６００個の粒子が付着していた。
【００５２】
上述してきたように、本実施形態に係る粒子状物質吸着材は、吸着材の内部を形成する組織の側壁が粒子状物質を吸着する特性を有する。つまり、本実施形態に係る粒子状物質吸着材によれば、粒子状物質についても吸着することのできる粒子状物質吸着材を提供することができる。
【００５３】
次に、灯心部を露出させたイ草と、シートとからなる粒子状物質フイルターについて説明する。
【００５４】
シートとは、空気を通す隙間を有するものである。例えば、不織布、フエルト、和紙などである。本実施形態におけるシートは、灯心部を露出させたイ草をシートと組み合わせることができる素材で構成されていれるものであればよく、大きさ、形状は限定されない。
【００５５】
この粒子状物質フイルターは、不織布に、灯心部を露出させたイ草を、混入させたものである。この不織布とは、ナイロン等の合成繊維を熱、機械的又は化学的な作用によって接着又は絡み合わせる事で布にしたものである。不織布の製造方法は、その目的により、ケミカルボンド製法、ステッチボンド製法、スパンボンド製法、サーマルボンド製法、ニードルバンチ製法等があるが、前記灯心部を露出させたイ草を混入できるものであればよい。
【００５６】
前記灯心部を露出させたイ草は、輪切りにしたイ草を垂直方向に裂いたものや、イ草の茎を水平方向に輪切りにしたものを細かくしたもの、イ草を細切れに粉状にしたものであってもよく、イ草の茎内部の灯心部を外部露出させることで空気との接触する面積、すなわち表面積を増やしたものであればよい。
【００５７】
シートである不織布と、前記灯心部を露出させたイ草と、の混ぜ方は、不織布を製造する際に混入させたものである。また、不織布と不織布との間に間隙を設けて、その間隙に略均等に前記灯心部を露出させたイ草を分散させ、熱により圧着させ層状に形成して粒子状物質フイルターとしたものでもよい。
【００５８】
また、上記のように不織布の製造する際に混入させたもの以外に、不織布表面に前記灯心部を露出させたイ草を膠などの接着剤と混合して液剤とし、その液剤を吹き付けて粒子状物質フイルターとしたものでもよい。また、不織布表面に接着剤を塗布して、前記灯心部を露出させたイ草を分散させて配置させた粒子状物質フイルターであってもよい。
【００５９】
また、不織布の代わりに、パルプや羊毛などの動物の毛を圧縮して板状に成形されるフエルトや、木など原料として紙抄きによって製造される和紙、などに前記灯心部を露出させたイ草を混入させてもよい。
【００６０】
本実施形態における粒子状物質フイルターの製造方法の一例を以下に説明する。
【００６１】
本製法例の粒子状物質フイルターは、パルプ綿と、灯心部を露出させたイ草と、から成る粒子状物質フイルターである。このパルプ綿は木の繊維を綿状に加工したものである。また、この製造例で用いる灯心部を露出させたイ草は、略１〜２ｍｍの長さに輪切りにしたイ草を、更に２つに裂いて略半円筒体に形成したものである。灯心部を露出させたイ草としては、前記半円筒体のものや、チップ状にすり潰したものや、それらを組み合わせたものを用いてもよい。
【００６２】
具体的には、４ｇのパルプ綿と、４ｇの前記灯心部を露出させたイ草と、を全体に絡め合わせるように混ぜ合わせる。このときに、灯心部を露出させたイ草を全体の５０〜７０％にすることが好ましい。
【００６３】
次に、上記パルプ綿と上記イ草とを絡め合わせたものを、１０ｃｍ四方のシート状に形成していく。この際に水を加えると、パルプ綿の膨らみがなくなり容易にシート状に成形することができる。
【００６４】
次に、上記シート状に形成したパルプ綿とイ草を混合したものに、接着剤を吹き付け又は滴下する。この接着剤は、重量比が水２０に対して膠１で作成された膠液を用いるのが好ましい。
【００６５】
次に、この接着剤入りのシート状に形成したものを、ラップフィルムなどの樹脂製のフィルムで包んで、ハンマーなどにより上部より押圧を加えて、接着剤により固まるまで厚みを調節する。このようにして、目的に応じてフイルターの厚みや空気の通路である隙間を調節することができる。
【００６６】
次に、上記のようにシート状に形成されたものを天日干しなどにより乾燥させる。
【００６７】
上記のようにして、粒子状物質フイルターが生成される。
【００６８】
上記のような構成のため、粒子状物質フイルターは、例えば、空気清浄器のフイルター、壁材などの屋内備品などに用いることができる。
【００６９】
上述したように、本発明の粒子状物質フイルターによれば、前記シートがもつフイルターとしての働きに加えて、ＰＭ２．５などの微小粒子状物質をも付着させることができる。また、イ草のホルムアルデヒドなどのガス状有害物質を吸着する特性や、水分を吸放出するという特性とも相俟って空気洗浄機能を格段に向上することができる。
【００７０】
次に、灯心部を露出させたイ草と、液剤と、から成る粒子状物質吸着剤について説明する。
【００７１】
この粒子状物質吸着剤は、灯心部を露出させた粉末状或いは超微細の裁断状としたイ草を、液剤に混入攪拌して液状にしたものである。この灯心部を露出させたイ草は、長手方向に裂いたり、細かく輪切りにしたり、粉末状に砕いたりして、形成したものである。
【００７２】
本実施形態の液剤は、バインダーとして機能し、例えば、膠と水を混合させた膠液を用いる。
【００７３】
灯心部を露出させたイ草とバインダーとしての液剤とを混合して液状或いは粘調状とすることにより、噴霧器などで粒子状物質吸着対象物の表面に吹き付け塗布したり、ハケ、ブラシ等で塗布コーティングすることができる。この対象物としては、様々な日常生活品等であり、例えば、壁材、空気清浄機フイルター、窓など空気の通路に取り付けるブラインドやカーテンである。
【００７４】
また、上記液剤と上記灯心部を露出させたイ草との混合の割合により様々な形で形成することができる。例えば、灯心部を露出させたイ草を液剤よりも多い割合とすると、粘度の高い粒子状物質吸着剤とすることができる。この粘性の高い粒子状物質吸着剤をブラシ等で塗布すれば垂れがなく、球体や直方体などの表面に塗布滞留させることができ、また、従前の置物などの表面に装飾的機能をもって使用することができる。また、前記のように塗布するだけではなく、この粘性の高い粒子状物質吸着剤を用いて、球体や直方体や円柱などの様々な形状であって、粒子状物質吸着機能を有する置物やカーテン等の製品や日常生活のあらゆる身辺の什器備品を成形することもできる。
【００７５】
また、粒子状物質吸着剤中の液剤の割合を、灯心部を露出させたイ草よりも多くすると、さらさらとした粘性の低い粒子状物質吸着剤とすることができる。粘性の低い粒子状物質吸着剤は、ミスト状・噴霧状にして複雑な形状の対象物に吹き付けることができる。この粘性の低い粒子状物質吸着剤は、粉状、細かい輪切り状、短い短冊状、等の小さくした灯心部を露出させたイ草を用いると良い。
【００７６】
なお、かかる噴霧形態で使用する粒子状物質吸着剤の場合は、粒径を５〜１０μｍとし、噴霧時の目詰まりがなく、かつ、対象物の凹凸に馴染み易い大きさとしている。更には、噴霧形態とする粒子状物質吸着剤は、イ草の内部の灯心部のうち、特に、断面ハニカム形状で灯心部の芯に近い内層部分を可及的に用いるようにすることにより、細断や破裂時に各微粒子の表面に生起した微細な毛羽立ちが、対象物への付着効率を更に向上し、空気との接触断面の増大と共に、付着効果を向上し、容易に対象物から剥離することなく、長期間の汚染微粒子除去効果を維持することができる。
【００７７】
なお、本発明は上述した実施形態等に限られず、上述した実施形態等の中で開示した各構成を相互に置換したり組み合わせを変更したりした構成、公知技術並びに上述した実施形態等の中で開示した各構成を相互に置換したり組み合わせを変更したりした構成、等も含まれる。
【図１】
2015127038.tif 000004
【図２】
2015127038.tif 000005
【図３】
2015127038.tif 000006
【図４】
2015127038.tif 000007